(57)【要約】【課題】  被連結部材同士の連結及びその取り外しが容易で、被連結部材の形状に合わせることなく容易に着脱可能な連結具及び連結具を具備したペットケージを提供すること。【解決手段】  所定の肉厚を有する基部１０と、基部１０の一方の面側に連接された第１保持部２０と、第１保持部２０と離間し且つ対面して設けられて一方が開口されて案内導入部４を有する第２保持部３０と、第１保持部２０及び第２保持部３０とは反対方向で基部１０を挟んで基部１０に連接された第３保持部４０と、第３保持部４０と離間し且つ対面して設けられて第２保持部３０の案内導入部４とは反対方向に開口を有する案内導入部５を有する第４保持部５０とを備え、案内導入部４，５に縦桟６７，６７を導入して連結する構成とした。また、係止・導入部２１ｈ，４１ｈを設けて容易に抜けないように係止可能な構成とした。【選択図】        図１２
2005048938.tif 000002
【特許請求の範囲】
【請求項１】
所定の肉厚を有する基部と、前記基部の一方の面側に連接された第１保持部と、前記第１保持部と離間し且つ対面して設けられて一方が開口されて案内導入部を有する第２保持部と、前記第１保持部及び第２保持部とは反対方向で前記基部を挟んで該基部に連接された第３保持部と、前記第３保持部と離間し且つ対面して設けられて前記第２保持部の案内導入部とは反対方向に開口を有する案内導入部を有する第４保持部とを備え、
前記案内導入部に被連結部材を導入して回動することによって被連結部材同士を連結する構成としたこと
を特徴とする連結具。
【請求項２】
前記基部の一方の面側には、位置決め手段が形成されたことを特徴とする請求項１記載の連結具。
【請求項３】
前記位置決め手段は、係止部であることを特徴とする請求項２記載の連結具。
【請求項４】
前記係止部は、複数設けられたことを特徴とする請求項３記載の連結具。
【請求項５】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれに対応してコーナー保持部、提部、膨出部、案内保持部をそれぞれ有することを特徴とする請求項１記載の連結具。
【請求項６】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面内にフラットな面を有することを特徴とする請求項１記載の連結具。
【請求項７】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれに対応してコーナー保持部及び膨出部をそれぞれ有することを特徴とする請求項１記載の連結具。
【請求項８】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面に膨出部が形成されたことを特徴とする請求項１記載の連結具。
【請求項９】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面にコーナー保持部、提部、案内保持部を有することを特徴とする請求項１記載の連結具。
【請求項１０】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面に、係止・導入部を設けたことを特徴とする請求項１乃至請求項９の何れかのうち、少なくとも１に記載の連結具。
【請求項１１】
前記係止・導入部は、係止段部、導入面、案内面を有することを特徴とする請求項１０記載の連結具。
【請求項１２】
前記係止段部は、対向する第１保持面乃至第４保持面の何れかの面側に向かって鋭角に起立して形成されたことを特徴とする請求項１１記載の連結具。
【請求項１３】
前記第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面に、係止段部、導入面、案内面を有する係止・導入部を設け、該係止・導入部が有する案内面と対向する側の前記第１保持面乃至第４保持面の何れかにも案内面を有する構成としたことを特徴とする請求項１乃至請求項９の何れかのうち、少なくとも１に記載の連結具。
【請求項１４】
少なくとも、前面、後面、左右の側面のパネルを有し、各パネルのそれぞれは、複数の縦桟及び複数の横桟からなる被連結部材を有する周面部と、該周面部に着脱可能に設けられたトレーとを備えてなるペットケージであって、
前記ペットケージは、所定の肉厚を有する基部と、前記基部の一方の面側に連接された第１保持部と、前記第１保持部と離間し且つ対面して設けられて一方が開口されて案内導入部を有する第２保持部と、前記第１保持部及び第２保持部とは反対方向で前記基部を挟んで該基部に連接された第３保持部と、前記第３保持部と離間し且つ対面して設けられて前記第２保持部の案内導入部とは反対方向に開口を有する案内導入部を有する第４保持部とを備え、前記案内導入部に被連結部材を導入して回動することによって被連結部材同士を連結可能な連結具を備えたこと
を特徴とする連結具を具備したペットケージ。
【発明の詳細な説明】
【技術分野】
【０００１】
本発明は、被連結部材同士を容易に連結することが可能な連結具及び該連結具を具備したペットケージに関する。
【背景技術】
【０００２】
図１３は、従来の連結具を示す分解斜視図である。図１３に示すように、連結具１０１は、中心に雄ねじが形成された円板体１０１ａと、中心に雌ねじが形成された円板体１０１ｂとを有し、一方の円板体１０１ａには、籠部材の枠桟を嵌める係止溝１０１ｃが形成されている。そして、図１３に示すように、円板体１０１ａの係止溝１０１ｃに籠部材の枠桟を嵌め、他方の円板体１０１ｂの雌ねじを一方の円板体１０１ａに合わせたのち、円板体１０１ｂを回転させて螺合結合させて固定する。（特許文献１に係る第５図参照）。
【０００３】
また、図１４（ａ）は、従来の連結具の連結の状態を示す斜視図、（ｂ）は、従来の連結具の連結された状態を示す斜視図である。図１４（ａ）に示すように、線状部材１１２，１１２の間に手前から第１の保持部材１１３を挿入して第１の保持部材１１３を両線状部材１１２，１１２の後方へ挿通させ、第１の保持部材１１３の第１の両対向片１１４，１１４が上方、また第２の保持部材１１５の第２の両対向片１１６，１１６が下方を向くように保持する。このとき、両線状部材１１２，１１２は、第１の保持部材１１３と第２の保持部材１１５とにより前後から挟まれるとともに、両線状部材１１２，１１２の間には、第１の保持部材１１３と第２の保持部材１１５とを結合する中壁１１７が挿入される。
【０００４】
そして、両線状部材１１２，１１２に第２の連結部１１９の縁部を当接させて、この縁部を中心に第２の保持部材１１５を下方へ向けて回転させる。すると、線状部材１１２，１１２は、図１４（ｂ）に示すように、第１の連結部１１８の縁部が当接する当接位置より下方の部位が、第２の保持部材１１５に設けられた第２の両対向片１１６，１１６により手前側より挟み込まれるとともに、当接位置より上部の部位は第１の保持部材１１３に設けられた第１の両対向片１１４，１１４により後方より挟み込まれ、双方の線状部材１１２，１１２、すなわち、双方の網枠同士は連結される。このとき、第１及び第２の各対向片１１４，１１４，１１６，１１６の先端部には突出部１２０が設けられているので、各突出部１２０が線状部材１１２，１１２に係合することにより、連結具１１１の不用意な外れが防止される。（特許文献２に係る図５、図６参照）。
【０００５】
【特許文献１】実開平１−１６７８６０号公報（第５図）
【特許文献２】特開平８−１９２８３９号公報（図５、図６）
【発明の開示】
【発明が解決しようとする課題】
【０００６】
しかして、図１３に示すように、連結具１０１は、円板体１０１ａの係止溝１０１ｃに籠部材の枠桟を嵌め、他方の円板体１０１ｂの雌ねじを一方の円板体１０１ａに合わせたのち、円板体１０１ｂを回転させて螺合結合させて固定するものである。しかしながら、図１３に示す従来の連結具は、円板体１０１ａの係止溝１０１ｃに籠部材の枠桟を嵌める構成であるため、枠桟の幅や形状に合わせて係止溝１０１ｃを形成する必要がある。更に、連結具１０１は、円板体１０１ｂの雌ねじを一方の円板体１０１ａに合わせたのち、円板体１０１ｂを回転させて円板体１０１ａの雄ねじと螺合結合させて固定するものであることから、回転させて確実に取り付けるまで時間を要し、また、取り外す場合も時間を要する。そして、この回転させて固定した場合でも、枠桟の振動などで雄ねじと雌ねじとの結合が僅かにゆるむ場合には、その固定機能が失われるおそれがある。
【０００７】
また、図１４に示す連結具１１１は、第１の保持部材１１３と第２の保持部材１１５とを結合する中壁１１７との間に線状部材１１２，１１２が挿入されて確実に保持され、しかも各突出部１２０が線状部材１１２，１１２に係合することにより、連結具１１１の不用意な外れが防止されるものであるが、この連結具１１１は、線状部材１１２，１１２を挿入・固定するには優れたものとなっているが、固定後は確実に各突出部１２０が線状部材１１２，１１２に係合するため、取り外しが容易ではなく、例えば、ペット用の籠などを分解する場合に手間取り、時間がかかるおそれがある。
【０００８】
そこで、本発明は、被連結部材同士の連結が容易であり、しかもその取り外しも容易に行うことができ、被連結部材の形状に合わせることなく容易に着脱することが可能で、しかも確実に固定することが可能な連結具及び該連結具を具備したペットケージを提供することを目的とする。
【課題を解決するための手段】
【０００９】
本発明による連結具は、所定の肉厚を有する基部と、前記基部の一方の面側に連接された第１保持部と、前記第１保持部と離間し且つ対面して設けられて一方が開口されて案内導入部を有する第２保持部と、前記第１保持部及び第２保持部とは反対方向で前記基部を挟んで該基部に連接された第３保持部と、前記第３保持部と離間し且つ対面して設けられて前記第２保持部の案内導入部とは反対方向に開口を有する案内導入部を有する第４保持部とを備え、前記案内導入部に被連結部材を導入して回動することによって被連結部材同士を連結する構成としたものである。
【００１０】
また、本発明による連結具の基部の一方の面側には、位置決め手段が形成されたものである。
【００１１】
また、本発明による連結具の位置決め手段は、係止部である。
【００１２】
また、本発明による連結具の係止部は、複数設けられたものである。
【００１３】
また、本発明による連結具の第１保持部乃至第４保持部には、それぞれ対応して第１保持面乃至第４保持面を有し、第１保持面及び第２保持面の何れかの面、第３保持面及び第４保持面の何れかの面、若しくは第１保持面乃至第４保持面の何れかの面、又は第１保持面乃至第４保持面のそれぞれに対応してコーナー保持部、提部、膨出部、案内保持部をそれぞれ有するものである。
【００１４】
また、本発明による連結具の第１保持部乃至第４保持部には、それぞれ対応して第１保持面乃至第４保持面を有し、第１保持面及び第２保持面の何れかの面、第３保持面及び第４保持面の何れかの面、若しくは第１保持面乃至第４保持面の何れかの面、又は第１保持面乃至第４保持面のそれぞれの面内にフラットな面を有するものである。
【００１５】
また、本発明による連結具の第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれに対応してコーナー保持部及び膨出部をそれぞれ有するものである。
【００１６】
また、本発明による連結具の第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面に膨出部が形成されたものである。
【００１７】
また、本発明による連結具の第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面にコーナー保持部、提部、案内保持部を有する。
【００１８】
また、本発明による連結具の第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面、又は前記第１保持面乃至第４保持面のそれぞれの面に、係止・導入部を設けたものである。
また、本発明による連結具の第１保持部乃至第４保持部の係止・導入部は、係止段部、導入面、案内面を有するものである。
【００１９】
また、本発明による連結具の係止・導入部は、係止段部、導入面、案内面を有するものである。
【００２０】
また、本発明による連結具の係止段部は、対向する第１保持面乃至第４保持面の何れかの面側に向かって鋭角に起立して形成されたものである。
【００２１】
また、本発明による連結具の第１保持部乃至第４保持部には、それぞれ対応して第１保持面乃至第４保持面を有し、前記第１保持面及び第２保持面の何れかの面、第３保持面及び第４保持面の何れかの面、若しくは前記第１保持面乃至第４保持面の何れかの面に、係止段部、導入面、案内面を有する係止・導入部を設け、該係止・導入部が有する案内面と対向する側の前記第１保持面乃至第４保持面の何れかにも案内面を有する構成としたものである。
【００２２】
本発明による連結具を具備したペットケージは、少なくとも、前面、後面、左右の側面のパネルを有し、各パネルのそれぞれは、複数の縦桟及び複数の横桟からなる被連結部材を有する周面部と、該周面部に着脱可能に設けられたトレーとを備えてなるペットケージであって、前記ペットケージは、所定の肉厚を有する基部と、前記基部の一方の面側に連接された第１保持部と、前記第１保持部と離間し且つ対面して設けられて一方が開口されて案内導入部を有する第２保持部と、前記第１保持部及び第２保持部とは反対方向で前記基部を挟んで該基部に連接された第３保持部と、前記第３保持部と離間し且つ対面して設けられて前記第２保持部の案内導入部とは反対方向に開口を有する案内導入部を有する第４保持部とを備え、前記案内導入部に被連結部材を導入して回動することによって被連結部材同士を連結可能な連結具を備えてなるものである。
【発明の効果】
【００２３】
本願発明による連結具は、第２保持部の案内導入部と第４保持部の案内導入部に被連結部材を導入して回動することによって被連結部材同士を連結する構成としたので、被連結部材同士を容易且つ確実に固定することができるとともに、取り外しも容易に行うことができる。また、本発明による連結具を具備したペットケージによれば、被連結部材同士を容易且つ確実に固定若しくは取り外しも容易であるから、ペットケージの組立及び分解も容易に行うことが可能である。また、本発明による連結具を具備したペットケージによれば、本発明による連結具を使用しているので、ペットケージ内に収容されているペットが内側から横方向、上下方向等の種々の角度からペットケージに力が加えられても保持部で確実に保持されているので外れにくいという効果がある。
【発明を実施するための最良の形態】
【００２４】
以下図面を参照して、本発明による連結具及び該連結具を具備したペットケージの最良の形態について説明する。図１は、本発明による連結具を屋根形のペットケージに適用した状態を示す斜視図及び一部部分拡大図、図２（ａ）は、本発明による連結具を把持部側からみた斜視図、（ｂ）は、本発明による連結具を保持部側からみた斜視図及び部分拡大図、図３（ａ）は、本発明による連結具の連結する前の使用方法を説明する斜視図、（ｂ）は、本発明による連結具の連結した状態を説明する斜視図、図４（ａ）は、図３（ａ）の連結具の連結前の状態の断面図、及び部分拡大図、（ｂ）は、図３（ｂ）の連結具の連結後の状態を示す断面図である。
【００２５】
図１に示すように、ペットケージ６０は、屋根形でかわいらしく美観的にも優れており、小型犬のみならず、中型犬若しくはそれ以上の大きさの愛玩動物のような比較的大きな場合であっても安心して休息が可能である。しかも、屋根フレーム６１を１対設けて、周面部６４の上端側、すなわち上部開放側と屋根フレーム６１とが直接連結固定若しくは解除可能な構成とし、且つ組立が容易で、中型犬若しくはそれ以上の大きさの愛玩動物であっても十分な衝撃に耐えうる強度を有するペットケージである。
【００２６】
図１に示すように、周面部６４は、前面，後面，左右の側面のパネル６５を有し、各パネル６５のそれぞれは、複数の縦桟６７と、複数の横桟６８とを有する。これらの複数の縦桟６７と、複数の横桟６８との間は通気性を確保するための開口部が形成されており、複数の縦桟６７と、複数の横桟６８の構成配列は任意の配列で構成することが可能である。これらの複数の縦桟６７と、複数の横桟６８は、被連結部材としての円柱状の線材でなり、愛玩動物が噛んだりした場合であっても害のない被膜処理がなされている。そして、周面部６４を構成する前面，後面，左右の側面のパネル６５は、本発明による連結具１により連結されて全体が箱状の周面部６４が構成される。
【００２７】
また、前面及び後面のパネル６５の上面開放側は、上端がパネル６５の中心に向かって山形となるように形成されている。また、前面のパネル６５には、愛玩動物が出入りする扉６５ａが図示せぬ開閉機構により前面側に開閉可能な構成となっている。
【００２８】
また、周面部６４の下面には、トレー６６が着脱可能に装着されて底部を構成するようになっており、このトレー６６の側面に２つづつ、計４個設けられた係止部６６ａによって周面部６４の左右の側面のパネル６５の横桟６８（図示せず）に係止されて固定される構成となっている。したがって、係止部６６ａの係止を解除すれば、トレー６６を周面部６４から離脱させることができ、周面部６４及びトレー６６の掃除などのメンテナンスを行うことが可能である。
【００２９】
また、屋根フレーム６１は、屋根パネルを有しており、この屋根パネルは、円柱状の線材からなり、且つ被膜処理がなされている横桟と、この横桟と同一の素材でなり、且つ横桟と交差させて配置される縦桟とを有し、しかも横桟と縦桟との間には、通気性を確保するための開口部が形成されている。また、１対の屋根フレーム６１は、ヒンジ部６２を介して回動可能に連結されており、このヒンジ部６２を中心として屋根フレーム６１は開閉可能となっている。また、屋根フレーム６１は、周面部６４の上端部とヒンジ部６２とで固定結合されており、また、ロック部材６３の作用により周面部６４の上端部との結合、及び非結合の状態を選択することができる。したがって、ロック部材６４の作動、すなわちロック状態とすると、屋根フレーム６１と周面部６４との結合がなされ、ロック部材６４の作動を解除、すなわち非ロック状態とすると、屋根フレーム６１と周面部６４との非結合状態となって、周面部６４の上方を開放することができる。
【００３０】
次に、本発明による連結具の第１の最良の実施の形態について図１乃至図４を参照して説明する。
【００３１】
図１乃至図４に示すように、連結具１は、全体が楕円形状をしてなり、所定の肉厚を有する基部１０と、この基部１０の一方の面側に連接された第１保持部２０と、この第１保持部２０と離間し且つ対面して設けられて一方が開口されて案内導入部４を有する第２保持部３０と、第１保持部２０及び第２保持部３０とは反対方向、すなわち図２（ｂ）に示すＺ方向で基部１０を挟んで基部１０に連接された第３保持部４０と、第３保持部４０と離間し且つ対面して設けられて第２保持部３０の案内導入部４とは反対方向に開口を有する案内導入部５を有する第４保持部５０と、基部１０の面上に設けられた位置決め手段としての係止部３と、基部１０の他方の面側に設けられた把持部２とを有している。連結具１は、本発明による実施の形態によれば、全体が合成樹脂などで一体に形成されているが、他の部材を用いて別体で構成してもよいことは勿論である。
【００３２】
次に、図２（ｂ）に示すように、所定の肉厚を有する基部１０の面上に設けられた位置決め手段としての係止部３は、全体が砲弾型の形態を有している。すなわち、先端部が曲面で、本体部が円柱形状で形成されており、図３及び図４に示すように、被連結部材としての縦桟６７，６７間の幅Ｓ内に挿入しやすいようになっている。係止部３の幅、すなわち直径Ｄ（図４（ａ）に図示）は、幅Ｓ≦直径Ｄの関係になるようにするのが好ましい。但し、直径Ｄは、幅Ｓよりも極端に大きな場合には、係止部３を挿入することができないので、係止部３の直径Ｄとほぼ等しいかやや大きめに形成されている。要するに、被連結部材としての縦桟６７，６７間に挿入して係止可能なもので、位置決めされればよく、したがって、被連結部材としての縦桟６７，６７間の幅Ｓに合わせて適宜設定すれば足りる。また、係止部３は、基部１０と一体若しくは別体で構成することもできる。
【００３３】
次に、図２（ｂ）に示すように、基部１０の一方の面側に連接された第１保持部２０は、第１保持面２１を有している。この第１保持面２１は、本実施の形態によれば、第１保持部２０と一体に形成されているが、別体で構成することもできる。第１保持面２１は、図２（ｂ）に示すように、第１保持部２０の面に沿って下方向、すなわちＺ方向に伸長して形成されており、被連結部材としての円柱状の縦桟６７の外形を包み込むような曲面で形成されているコーナ保持部２１ａ，このコーナ保持部２１ａは、一方の端面が第２保持部３０の第２保持面３１ａと連接し、これと相まって被連結部材としての縦桟６７を包み込むように略Ｕ字状の曲面で形成されている。そして、コーナ保持部２１ａの他方の端面は、Ｘ方向に一定の幅で、Ｚ方向にほぼ平坦な面を有して所定の長さ形成された提部２１ｂが形成されている。また、提部２１ｂに続いてＸ方向に一定の幅を有し、Ｙ方向に一定の曲面を有するように膨出してＺ方向に所定の長さ伸長してなる膨出部２１ｃが形成されている。図４（ａ）に示すように、膨出部２１ｃと、後述する第２保持部３０の第２保持面３１が有する膨出部３１ｃとの間の距離Ｌは、被連結部材としての縦桟６７の直径Ｄよりも小さくなるように設定される。また、膨出部２１ｃに続いてＸ方向に一定の幅で、Ｚ方向にほぼ平坦な面を有して所定の長さ形成された提部２１ｄが形成されており、この提部２１ｄに続いてＸ方向に一定の幅で、Ｙ方向にやや曲面段差を有し、且つＺ方向に所定の長さ伸長して形成された案内保持部２１ｅが形成されている。この案内保持部２１ｅは、図４（ａ）に示すように、被連結部材としての他方の縦桟６７を第２保持部３０の第２保持面３１が有する案内保持部３１ｅとで保持するようになっている。
【００３４】
次に、図２（ｂ）に示すように、第１保持部２０と離間し且つ対面して設けられて一方が開口されて案内導入部４を有する第２保持部３０は、第２保持面３１を有している。第２保持部３０及び第２保持面３１は、第１保持部２０及び第１保持面２１と同じ構成を有している。すなわち、第２保持部３０は、基部１０の一方の面側であって、第１保持部２０と離間し且つ対面して設けられている。第２保持面３１は、本実施の形態によれば、第２保持部３０と一体に形成されているが、別体で構成することもできる。
【００３５】
また、前述したように、第２保持面３１は、第２保持部３０の面に沿って下方向、すなわちＺ方向に伸長して形成されており、被連結部材としての円柱状の縦桟６７の外形を包み込むような曲面で形成されているコーナ保持部３１ａ，このコーナ保持部３１ａは、一方の端面が第１保持部２０の第１保持面２１ａと連接し、これと相まって被連結部材としての縦桟６７を包み込むように略Ｕ字状の曲面で形成されている。すなわち、第１保持面２１のコーナ保持部２１ａと第２保持面３１のコーナ保持部３１ａとで被連結部材としての縦桟６７を確実に保持するようになっている。なお、第１保持面２１のコーナ保持部２１ａと第２保持面３１のコーナ保持部３１ａとで略Ｕ字状の曲面で縦桟６７を包み込んで保持するようになっているが、縦桟６７を確実に保持可能であれば略Ｕ字状である必要はなく、多面若しくは多角形のような面で保持するようにしてもよい。
【００３６】
また、コーナ保持部３１ａの他方の端面は、Ｘ方向に一定の幅で、Ｚ方向にほぼ平坦な面を有して所定の長さ形成された提部３１ｂが形成されている。また、提部３１ｂに続いてＸ方向に一定の幅を有し、Ｙ方向に一定の曲面を有するように膨出してＺ方向に所定の長さ伸長してなる膨出部３１ｃが形成されている。図４（ａ）に示すように、膨出部３１ｃと、第１保持部２０の第１保持面２１が有する膨出部２１ｃとの間の距離Ｌは、被連結部材としての縦桟６７の直径Ｄよりも小さくなるように設定される。また、膨出部３１ｃに続いてＸ方向に一定の幅で、Ｚ方向にほぼ平坦な面を有して所定の長さ形成された提部３１ｄが形成されており、この提部３１ｄに続いてＸ方向に一定の幅で、Ｙ方向にやや曲面段差を有し、且つＺ方向に所定の長さ伸長して形成された案内保持部３１ｅが形成されている。この案内保持部３１ｅは、図４（ａ）に示すように、被連結部材としての他方の縦桟６７を第１保持部２０の第１保持面２１が有する案内保持部２１ｅとで保持するようになっている。そして、案内保持部３１の開放端、すなわちＸ方向に案内導入部４が形成されている。
【００３７】
次に、図１乃至図４に示すように、連結具１の第３保持部４０と、第４保持部５０は、第１保持部２０及び第２保持部３０とは反対方向、すなわちＺ方向で基部１０を挟んで形成されている。そして、第３保持部４０は、基部１０に連接されており、第４保持部５０は、基部１０の一方の面側であって、第３保持部４０と離間し且つ対面して設けられている。なお、第３保持部４０は、第１保持部２０と実質的に同一の構成でなり、第４保持部５０は、第２保持部３０と実質的に同一の構成でなるので、詳細な説明は省略する。
【００３８】
第３保持部４０及び第４保持部５０と、第１保持部２０及び第２保持部３０とが異なる点は、第４保持部５０の案内保持部５１ｅの開放端、すなわち案内導入部５が案内保持部３１の案内導入部４の開放端とは反対方向である点である。そして、第３保持部４０の第３保持面４１は、コーナ保持部４１ａ、提部４１ｂ、膨出部４１ｃ、提部４１ｄ、案内保持部４１ｅを有しており、第４保持部５０の第４保持面５１は、コーナ保持部５１ａ、提部５１ｂ、膨出部５１ｃ、提部５１ｄ、案内保持部５１ｅを有している。したがって、第３保持面４１のコーナ保持部４１ａ、提部４１ｂ、膨出部４１ｃ、提部４１ｄ、案内保持部４１ｅは、第１保持面２１のコーナ保持部２１ａ、提部２１ｂ、膨出部２１ｃ、提部２１ｄ、案内保持部２１ｅと実質的に同一であり、第４保持面５１のコーナ保持部５１ａ、提部５１ｂ、膨出部５１ｃ、提部５１ｄ、案内保持部５１ｅは、第２保持面３１のコーナ保持部３１ａ、提部３１ｂ、膨出部３１ｃ、提部３１ｄ、案内保持部３１ｅと実質的に同一である。
【００３９】
なお、図１乃至図４に示す連結具１は、第１保持部乃至第４保持部にそれぞれ対応して第１保持面乃至第４保持面を有し、これらの第１保持面乃至第４保持面のそれぞれに対応してコーナー保持部、提部、膨出部、案内保持部をそれぞれ有している構成となっているが、第１保持面及び第２保持面の何れかの面、第３保持面及び第４保持面の何れかの面、若しくは第１保持面乃至第４保持面の何れかの面にコーナー保持部、提部、膨出部、案内保持部を設けるようにしてもよい。
【００４０】
また、把持部２は、図２（ａ）に示すように、Ｚ方向に細長く形成され、しかも指で持ちやすいように中央の幅がやや細く形成されて握りやすいように形成されている。
【００４１】
次に、本発明による連結具の作用について、図３及び図４を参照して説明する。
【００４２】
図３（ａ）及び図４（ａ）に示すように、本発明による連結具１は、被連結部材としての縦桟６７，６７間に位置決め手段としての係止部３、すなわち砲弾型の先端部を所定の位置に挿入する。そして、係止部３は、縦桟６７，６７間の幅Ｓと等しいか若しくはやや大きな直径Ｄを有しているので、所定の位置から脱落せず、連結しようとする位置に係止される。そして、指で把持部２を摘んで図３(a)に矢印で示すＲ方向に回動する。すると、第２保持部３０の第２保持面３１の案内導入部４と、第４保持部５０の第４保持面５１の案内導入部５により縦桟６７，６７が連結具１内に導入開始される。第１保持部２０及び第２保持部３０と第３保持部４０及び第４保持部５０とは、同じ作用をなすので、以下には、第１保持部２０及び第２保持部３０のみについて説明する。
【００４３】
図２（ｂ）に示すように、第１保持部２０の第１保持面２１が有する案内保持部２１ｅ、第２保持部３０の第２保持面３１が有する案内保持部３１ｅとで縦桟６７の一方から順次案内される。そして、案内保持部３１ｅの段差のある曲面に最初の縦桟６７が案内されると、次に提部２１ｄ、提部３１ｄの平坦な面内に乗り上げられて係止され、更に把持部２のＲ方向への付勢力により、膨出部２１ｃ、膨出部３１ｃに乗り上げて奥側の提部２１ｂ、提部３１ｂの平坦な面内に係止される。そして、更なる付勢力によりコーナ保持部２１ａ、コーナ保持部３１ａ内の曲面内に縦桟６７が保持される。また、他方の縦桟６７は、案内保持部２１ｅ、案内保持部３１ｅと、提部２１ｄ、提部３１ｄの境界面の段差のある曲面で係止されて保持される。以上のような作用によって、被連結部材としての縦桟６７，６７は、第１保持部乃至第４保持部のそれぞれが有する第１保持面乃至第４保持面によって確実に保持されて連結される。
【００４４】
また、連結具１を被連結部材としての縦桟６７，６７から解除する場合には、図３（ａ）に矢印で示すＲ方向とは逆の方向に回動するようにして連結を解除すればよい。
【００４５】
次に、本発明による連結具の第２の最良の実施の形態について図１２を参照して説明する。なお、図１２に示す第２の最良の実施の形態は、図１乃至図４に示す第１の最良の実施の形態と基本的に同じ構成及び機能を有しており、以下には、相違する点について詳細に説明し、同じ構成及び機能を有する点についてはその詳細な説明を省略する。
【００４６】
図１２に示すように、第２の最良の実施の形態の連結具１は、基部１０の一方の面側に連接された第１保持部２０の第１保持面２１と、第１保持部２０及び第２保持部３０とは反対方向、すなわち図１２（ａ）に示すＺ方向で基部１０を挟んで基部１０に連接された第３保持部４０の第３保持面４１に係止・導入部（２１ｈ、４１ｈ）を設けた点に特徴を有している。なお、第１保持面２１の係止・導入部２１ｈと第３保持面４１ｈとは同一の構成を有しているので、以下には第１保持面２１が有する係止・導入部２１ｈについて説明する。
【００４７】
図１２（ａ）及び（ｂ）に示すように、第１保持部２０の第１保持面２１の係止・導入部２１ｈは、第１保持面２１の案内保持部２１ｅの自由端部側、すなわち案内導入部４側に一体に形成されてなる。この係止・導入部２１ｈは、図１２（ｂ）に示すように、案内保持部２１ｅの案内面に沿って第２保持部３０の第２保持面３１側に向かって鋭く鋭角（本実施の形態では、ほぼ直角）に起立して形成された係止段部２１ｈ１を有している。そして、この係止段部２１ｈ１は、図１２（ａ）から明らかなように、Ｚ方向に所定の長さ伸張して形成されている。係止段部２１ｈ１の端面は、図１２（ｂ）に示すように、案内導入部４の導入面とほぼ平行な面で導入面２１ｈ２が所定の幅で形成されている。この導入面２１ｈ２も図１２（ａ）から明らかなように、Ｚ方向に所定の長さ伸張して形成されている。また、導入面２１ｈ２の端面は案内面２１ｈ３を介して第１保持部２０の端面と連接されている。この案内面２１ｈ３は、被連結部材としての縦桟６７，６７が導入されやすいようにそのコーナ部が曲面で形成されている。案内面２１ｈ３は、図１２（ａ）から明らかなように、Ｚ方向に所定の長さ伸張して形成されている。したがって、被連結部材としての縦桟６７，６７が連結具１に導入される場合には、案内面２１ｈ３の面に沿って導入されやすくなっており、導入後は係止段部２１ｈ１によって容易に外れないような構成となっている。
【００４８】
また、図１２（ｂ）に示すように、第２保持部３０の第２保持面３１の案内保持部３１ｅの端部、すなわち第１保持面２１の案内面２１ｈ３の対向端部も被連結部材としての縦桟６７，６７が導入されやすいようにそのコーナ部が曲面で形成された案内面３１ｈを有している。したがって、第１保持面２１の案内面２１ｈ３と相まって被連結部材としての縦桟６７，６７がより導入されやすいような構成となっている。
【００４９】
次に、図１２（ａ）に示すように、連結具１の第３保持部４０と、第４保持部５０は、第１保持部２０及び第２保持部３０とは反対方向、すなわちＺ方向で基部１０を挟んで形成されている。そして、第３保持部４０は、基部１０に連接されており、第４保持部５０は、基部１０の一方の面側であって、第３保持部４０と離間し且つ対面して設けられている。なお、第３保持部４０は、第１保持部２０と実質的に同一の構成でなり、第４保持部５０は、第２保持部３０と実質的に同一の構成となっている。そして、前述した第１保持部２０の第１保持面２１の係止・導入部２１ｈと同一の構成及び機能を有する係止・導入部４１ｈは、第３保持部４０の第３保持面４１に形成されている。また、第２保持部３０の第２保持面３１が有する案内面３１ｈと同一の構成及び機能を有する案内面５１ｈは、第４保持部５０の第４保持面５１に形成されている。
【００５０】
なお、本発明による連結具の第２の最良の実施の形態によれば、第１保持部２０の第１保持面２１の係止・導入部２１ｈ（係止段部２１ｈ，導入面２１ｈ２，案内面２１ｈ３）及び第３保持部４０の第３保持面４１の係止・導入部４１ｈ（係止段部４１ｈ，導入面４１ｈ２，案内面４１ｈ３）をそれぞれ設ける構成とし、第２保持部３０の第２保持面３１の案内保持部３１ｅの端部に案内面３１ｈ及び第４保持部５０の第４保持面５１の案内保持部５１ｅの端部に案内面５１ｈをそれぞれ設ける構成としたものである。しかして、第２の最良の実施の形態によるかかる構成は、これに限るものではなく、係止・導入部２１ｈ（係止段部２１ｈ，導入面２１ｈ２，案内面２１ｈ３）及び係止・導入部４ｈ（係止段部４１ｈ，導入面４１ｈ２，案内面４１ｈ３）は、第１保持部２０乃至第４保持部５０の何れか１つの保持部に設けるものでもよく、また、第１保持部２０乃至第４保持部５０のすべての保持部に設ける構成としてもよい。その場合には、第２保持部３０の案内面３１ｈ及び第４保持部５０の案内面５１ｈは形成されない。また、第１保持部２０の係止・導入部２１ｈ（係止段部２１ｈ，導入面２１ｈ２，案内面２１ｈ３）及び第３保持部４０の係止・導入部４１ｈ（係止段部４１ｈ，導入面４１ｈ２，案内面４１ｈ３）を第２保持部３０及び第４保持部５０の逆側の保持部に形成し、第２保持部の案内面３１ｈ及び第４保持部５０の案内面５１ｈを第１保持部２０及び第３保持部４０側に形成するようにしてもよい。要するに、同じ機能を有するものであれば、種々の構成を適宜採択することが可能である。
【００５１】
次に、本発明による連結具の第２の最良の実施の形態の作用について、図１２（ａ）及び（ｂ）、並びに図３及び図４を参照して説明する。なお、第１保持部２０及び第２保持部３０と第３保持部４０及び第４保持部５０とは、同じ作用をなすので、以下には、第１保持部２０及び第２保持部３０のみについて説明する。
【００５２】
図１２（ａ）及び（ｂ）に示すように、本発明による連結具１は、被連結部材としての縦桟６７，６７間に位置決め手段としての係止部３、すなわち砲弾型の先端部を所定の位置に挿入する。そして、係止部３は、縦桟６７，６７間の幅Ｓと等しいか若しくはやや大きな直径Ｄを有しているので、所定の位置から脱落せず、連結しようとする位置に係止される。そして、指で把持部２を摘んで図３(a)に矢印で示すＲ方向に回動する。すると、第２保持部３０の第２保持面３１の案内導入部４と、第４保持部５０の第４保持面５１の案内導入部５により縦桟６７，６７が連結具１内に導入開始される。しかして、このとき、第２の最良の実施の形態による連結具１は、図１２（ｂ）に破線で示すように、第１保持部２１の案内面２１ｈ３及び第２保持部３０の案内面３１ｈによって縦桟６７，６７が案内されるのであるが、係止・導入部２１ｈの係止段部２１ｈ１の厚さ分、案内導入部４の幅が狭くなっているので、第２保持部３０の案内保持部３１ｅが縦桟６７，６７によって外方向にその弾性力で撓む。そして、更に連結具１を図４に示すように、Ｒ方向に回転させると、最初の縦桟６７から案内面２１ｈ３，導入面２１ｈ２，係止段部２１ｈ１に順次導入される。
【００５３】
そして、図１２（ｂ）に示すように、最初の縦桟６７が係止段部２１ｈ１に到達すると、第１保持部２０の第１保持面２１が有する案内保持部２１ｅ、第２保持部３０の第２保持面３１が有する案内保持部３１ｅとで縦桟６７の一方から順次案内される。そして、案内保持部３１ｅの段差のある曲面に最初の縦桟６７が案内されると、次に提部２１ｄ、提部３１ｄの平坦な面内に乗り上げられて係止され、更に把持部２のＲ方向への付勢力により、膨出部２１ｃ、膨出部３１ｃに乗り上げて奥側の提部２１ｂ、提部３１ｂの平坦な面内に係止される。そして、更なる付勢力によりコーナ保持部２１ａ、コーナ保持部３１ａ内の曲面内に縦桟６７が保持される。また、他方の縦桟６７は、案内保持部２１ｅ、案内保持部３１ｅと、提部２１ｄ、提部３１ｄの境界面の段差のある曲面で係止されて保持され、しかも反対側の面は係止段部２１ｈ１の段部によって容易に抜けないように係止される。以上のような作用によって、被連結部材としての縦桟６７，６７は、第１保持部乃至第４保持部のそれぞれが有する第１保持面乃至第４保持面によって確実に保持されて連結される。
【００５４】
また、連結具１を被連結部材としての縦桟６７，６７から解除する場合には、図３（ａ）に矢印で示すＲ方向とは逆の方向に回動するようにして連結を解除すればよい。
【実施例１】
【００５５】
図５は、本発明による連結具の実施例１を示すものであり、（ａ）は、連結する前の状態を示す断面図、（ｂ）は、連結した状態を示す断面図である。
【００５６】
図５（ａ）及び（ｂ）に示す連結具１は、図１乃至図４に示す本発明による連結具１と実質的に同一である。しかして、図５（ａ）及び（ｂ）は、被連結部材としての縦桟６７，６７の一部を押しつぶして肉厚を薄くして団子状に形成して位置決め手段としての係止部３が６７ａ、６７ａと６７ｂ、６７ｂ間に確実に係止され、縦桟６７，６７に対して強い衝撃が与えられたり、揺らされたりしても係止部３がずれて下方向に落下することを確実に防止できるようにしたものである。図４（ａ）に示すように、縦桟６７，６７間の幅Ｓに対して、係止部３の直径Ｄは、等しいか若しくはやや大きく設定されており、しかも連結具１が取り付けられた後は、各コーナ保持部２１ａ、３１ａ、４１ａ、５１ａと、案内保持部２１ｅ、３１ｅ、４１ｅ，５１ｅとで縦桟６７，６７を保持する保持力が相互に作用しあうので、通常は下方向への落下が防止されているものであるが、更に縦桟６７，６７を加工することで、位置決めを確実にしようとするものである。
【実施例２】
【００５７】
図６は、本発明による連結具の実施例２を示すものであり、（ａ）は、連結する前の状態を示す断面図、（ｂ）は、連結した状態を示す断面図である。図６（ａ）及び（ｂ）に示す連結具１は、図１乃至図４に示す本発明による連結具１と実質的に同一であるが、相違する点は、位置決め手段としての係止部３を複数設けたことである。
【００５８】
図６（ａ）及び（ｂ）に示すように、位置決め手段としての係止部３は、中央の係止部３ａの直径Ｄは、縦桟６７、６７間の幅Ｓと等しいか若しくはやや大きく設定することによって係止され、また、中央の係止部３ａの外形と外側の係止部３ｂ、３ｃとの幅を縦桟６７の径ｗよりも小さく設定することによって、係止部３ａ、３ｂ、３ｃ同士の作用によって位置決めが確実になされ、連結具１が下方にずれたり、落下されることがないように位置決めされる。そして、係止部３ｂ及び３ｃは、図６（ａ）に示すように、連結具１が回転しようとするときには、縦桟６７，６７が係止部３ｂ及び３ｃを乗り越えて通過するものであるから、係止部３ａよりは高さが低く、且つ係止部３ｂ及び３ｃを縦桟６７，６７が乗り越え可能な高さに適宜設定される。なお、図６に示す実施例によれば、係止部３ｂ及び３ｃは先端部が球面状に形成されているが、同一の作用をなすものであれば、他の形態のものであっても採択することが可能である。そして、図６（ａ）及び（ｂ）に示す連結具１の構成であっても、縦桟６７，６７を第１保持部乃至第４保持部の各面が支持するものである点は同じである。
【実施例３】
【００５９】
図７は、本発明による連結具の実施例３を示すものであり、（ａ）は、連結具１の構成及び一部拡大した状態を示す斜視図、（ｂ）は、連結する前の状態を示す断面図、（ｃ）は、連結した状態を示す断面図である。
【００６０】
図７（ａ）乃至（ｃ）は、図６（ａ）及び（ｂ）に示す位置決め手段としての係止部３を複数設けた点は同一である。しかし、第１保持部２０乃至第４保持部５０がそれぞれ有する第１保持面２１乃至第４保持面５１の構成が異なる。すなわち、第１保持面２１乃至第４保持面５１がそれぞれ有するコーナ保持部２１ａ，３１ａ，４１ａ，５１ａ、提部部２１ｂ，３１ｂ，４１ｂ，５１ｂ、膨出部２１ｃ，３１ｃ，４１ｃ，５１ｃ、提部２１ｄ，３１ｄ，４１ｄ，５１ｄ、案内保持部２１ｅ，３１ｅ，４１ｅ，５１ｅをそれぞれ有さない点である。したがって、複数の係止部３のみで縦桟６７，６７を保持し、しかも位置決めも行う点に特徴を有するものである。そして、第１保持面２１乃至第４保持面５１は、それぞれの面内にフラットな面を有するものである。しかしながら、図７（ａ）乃至（ｃ）に示す連結具１であってもフラットな面内に位置する縦桟６７，６７を第１保持部乃至第４保持部の各面が支持するものである点は同じである。そして、図７（ａ）乃至（ｃ）に示す連結具１は、第１保持面乃至第４保持面のそれぞれの面内にフラットな面を有する構成のものであるが、第１保持面及び第２保持面の何れかの面、第３保持面及び第４保持面の何れかの面、若しくは前記第１保持面乃至第４保持面の何れかの面に設ける構成のものであってもよい。
【実施例４】
【００６１】
図８は、本発明による連結具の実施例４を示す斜視図である。図８に示す連結具１は、図１乃至図４に示す連結具１と異なり、第１保持部２０の第１保持面２１のコーナ保持部２１ａ、膨出部２１ｃ、第２保持部３０の第２保持面３１のコーナ保持部３１ａ、膨出部３１ｃのみで保持しようとするものである。したがって、提部２１ｂ、２１ｄ、３１ｂ、３１ｄ、案内保持部２１ｅ、３１ｅは有さない。そして、第３保持部４０の第３保持面４１，第４保持部５０の第４保持面５１も同様にコーナ保持部４１ａ、５１ａ、膨出部４１ｃ、５１ｃを有している。したがって、第１保持部２０の第１保持面２１乃至第４保持部５０の第４保持面５０がそれぞれ有するコーナ保持部２１ａ、膨出部２１ｃで被連結部材としての縦桟６７，６７を確実に保持する。
【００６２】
しかして、図８に示す連結具１は、第１保持部２０の第１保持面２１乃至第４保持部５０の第４保持面５０のそれぞれがコーナ保持部２１ａ、膨出部２１ｃを有しているが、第１保持面及び第２保持面の何れかの面、第３保持面及び第４保持面の何れかの面、若しくは第１保持面乃至第４保持面の何れかがコーナ保持部、膨出部を有するようにしてもよい。なお、第１保持部乃至第４保持部が縦桟６７，６７を支持するものである点は同じである。
【実施例５】
【００６３】
図９は、本発明による連結具の実施例５を示す斜視図である。実施例５に示す連結具１は、第１保持面２１及び第２保持面３１の何れかの面、第３保持面４１及び第４保持面５１の何れかの面、若しくは第１保持面２１乃至第４保持面５１の何れかの面、又は第１保持面２１乃至第４保持面５１のそれぞれの面に膨出部２１ｃ、３１ｃ、４１ｃ、５１ｃが形成されたものである。その他の点については、図１乃至図４に示す連結具１と実質的に同一である。したがって、図９に示すように、連結具１の膨出部３１ｃは、第２保持面にのみ形成されて、この膨出部３１ｃと、この膨出部３１ｃにより形成されるコーナ保持部３１ａにより被連結部材としての縦桟６７を保持し、もう一方の縦桟６７は、平坦な面を有する案内保持部３１ｅで保持される。したがって、図９に示す連結具１は、膨出部３１ｃを１カ所形成して縦桟６７を保持しようとするものである。
【００６４】
しかして、図９には図示されていないが、膨出部３１ｃが第２保持面に形成されるのではなく、第１保持面２１に形成されてもよく、また、第３保持面４１及び第４保持面５１の何れかの面、若しくは第１保持面２１乃至第４保持面５１の何れかの面、又は第１保持面２１乃至第４保持面５１のそれぞれの面に膨出部２１ｃ、３１ｃ、４１ｃ、５１ｃが形成されたものでもよい。なお、第１保持部乃至第４保持部が縦桟６７，６７を支持するものである点は同じである。
【実施例６】
【００６５】
図１０は、本発明による連結具の実施例６を示す斜視図である。実施例６に示す連結具１は、コーナー保持部、提部、案内保持部を第１保持面２１及び第２保持面３１の何れかの面、第３保持面４１及び第４保持面５１の何れかの面、若しくは第１保持面２１乃至第４保持面５１の何れかの面、又は第１保持面２１乃至第４保持面５１のそれぞれの面に形成したものである。その他の点は、図１乃至図４に示す連結具１と実質的に同一である。
【００６６】
しかして、図１０に示す連結具１は、第１保持面２１及び第２保持面３１のコーナ保持部２１ａ、３１ａ、このコーナ保持部２１ａ、３１ａに続いて提部２１ｆ、３１ｆが形成され、更に案内保持部２１ｅ，３１ｅが形成されたものである。そして、このコーナ保持部２１ａ、３１ａ、提部２１ｆ、３１ｆ、案内保持部２１ｅ，３１ｅの構成は、図１０は、第１保持面２１及び第２保持面３１に形成されたものを図示しているが、第１保持面２１及び第２保持面３１の何れかの面、第３保持面４１及び第４保持面５１の何れかの面、若しくは第１保持面２１乃至第４保持面５１の何れかの面、又は第１保持面２１乃至第４保持面５１のそれぞれの面に形成してもよい。なお、第１保持部乃至第４保持部が縦桟６７，６７を支持するものである点は同じである。
【実施例７】
【００６７】
図１１は、本発明による連結具の実施例７を示す斜視図である。図１１に示すように、この連結具１は、図１乃至図４に示す連結具１と実質的に同一の構成を有しているが、位置決め手段としての係止部３がない構成のものである。その他の点は、図１乃至図４に示す連結具１と実質的に同一であるので、詳細な説明は省略する。なお、この場合も第１保持部乃至第４保持部が縦桟６７，６７を支持するものである点は同じである。
【００６８】
なお、図５に示す本発明による連結具の実施例１，図６に示す本発明による連結具の実施例２，図７に示す本発明による連結具の実施例３，図８に示す本発明による連結具の実施例４，図９に示す本発明による連結具の実施例５，図１０に示す本発明による連結具の実施例６，図１１に示す本発明による連結具の実施例７のそれぞれについても、図１２（ａ）及び（ｂ）に示す係止・導入部２１ｈ（係止段部２１ｈ，導入面２１ｈ２，案内面２１ｈ３），係止・導入部４１ｈ（係止段部４１ｈ，導入面４１ｈ２，案内面４１ｈ３），案内面３１ｈ，案内面５１ｈを適宜採択することができることは勿論である。
【図面の簡単な説明】
【００６９】
【図１】本発明による連結具を屋根形のペットケージに適用した状態を示す斜視図及び一部部分拡大図である。
【図２】（ａ）は、本発明による連結具を把持部側からみた斜視図、（ｂ）は、本発明による連結具を保持部側からみた斜視図及び部分拡大図である。
【図３】（ａ）は、本発明による連結具の連結する前の使用方法を説明する斜視図、（ｂ）は、本発明による連結具の連結した状態を説明する斜視図である。
【図４】（ａ）は、図３（ａ）の連結具の連結前の状態の断面図、及び部分拡大図、（ｂ）は、図３（ｂ）の連結具の連結後の状態を示す断面図である。
【図５】本発明による連結具の実施例１を示すものであり、（ａ）は、連結する前の状態を示す断面図、（ｂ）は、連結した状態を示す断面図である。
【図６】本発明による連結具の実施例２を示すものであり、（ａ）は、連結する前の状態を示す断面図、（ｂ）は、連結した状態を示す断面図である。
【図７】本発明による連結具の実施例３を示すものであり、（ａ）は、連結具１の構成及び一部拡大した状態を示す斜視図、（ｂ）は、連結する前の状態を示す断面図、（ｃ）は、連結した状態を示す断面図である。
【図８】本発明による連結具の実施例４を示す斜視図である。
【図９】本発明による連結具の実施例５を示す斜視図である。
【図１０】本発明による連結具の実施例６を示す斜視図である。
【図１１】本発明による連結具の実施例７を示す斜視図である。
【図１２】（ａ）は、本発明による第２の最良の実施の形態の連結具を保持部側からみた斜視図及び部分拡大図、（ｂ）は、断面図である。
【図１３】従来の連結具を示す分解斜視図である。
【図１４】（ａ）は、従来の連結具の連結の状態を示す斜視図、（ｂ）は、従来の連結具の連結された状態を示す斜視図である。
【符号の説明】
【００７０】
１                  連結具
２                  把時部
３                  係止部（位置決め手段）
４                  案内導入部
５                  案内導入部
１０                基部
２０                第１保持部
２１                第１保持面
２１ａ              コーナ保持部
２１ｂ              提部
２１ｃ              膨出部
２１ｄ              提部
２１ｅ              案内保持部
２１ｈ，４１ｈ      係止・導入部
２１ｈ１，４１ｈ１  係止段部
２１ｈ２，４１ｈ２  導入面
２１ｈ３，４１ｈ３  案内面
３０                第２保持部
３１                第２保持面
３１ａ              コーナ保持部
３１ｂ              提部
３１ｃ              膨出部
３１ｄ              提部
３１ｅ              案内保持部
３１ｈ，５１ｈ      案内面
４０                第３保持部
４１                第３保持面
４１ａ              コーナ保持部
４１ｂ              提部
４１ｃ              膨出部
４１ｄ              提部
４１ｅ              案内保持部
５０                第４保持部
５１                第４保持面
５１ａ              コーナ保持部
５１ｂ              提部
５１ｃ              膨出部
５１ｄ              提部
５１ｅ              案内保持部
６０                ペットケージ
６１                屋根フレーム
６２                ヒンジ部
６３                ロック部材
６４                周面部
６５                パネル
６５ａ              扉
６６                トレー
６６ａ              係止部
６７                縦桟
６８                横桟
１０１              連結具
１０１ａ            円板体
１０１ｂ            円板体
１０１ｃ            係止溝
【図１】
2005048938.tif 000003
【図２】
2005048938.tif 000004
【図３】
2005048938.tif 000005
【図４】
2005048938.tif 000006
【図５】
2005048938.tif 000007
【図６】
2005048938.tif 000008
【図７】
2005048938.tif 000009
【図８】
2005048938.tif 000010
【図９】
2005048938.tif 000011
【図１０】
2005048938.tif 000012
【図１１】
2005048938.tif 000013
【図１２】
2005048938.tif 000014
【図１３】
2005048938.tif 000015
【図１４】
2005048938.tif 000016
【手続補正書】
【提出日】平成15年9月19日(2003.9.19)
【手続補正１】
【補正対象書類名】図面
【補正対象項目名】図２
【補正方法】変更
【補正の内容】
【図２】
2005048938.tif 000017
【手続補正２】
【補正対象書類名】図面
【補正対象項目名】図１２
【補正方法】変更
【補正の内容】
【図１２】
2005048938.tif 000018